(57)【特許請求の範囲】
【請求項１】
キーボード部を有する第１筐体と、
ディスプレイ部を有する第２筐体と、
前記第１筐体と前記第２筐体とを摺動可能に連結するスライドユニットと、を有し、
前記キーボード部を前記第２筐体で覆う閉状態と、前記閉状態から前記第２筐体を前方へ摺動させて前記キーボード部を露出させる第１開状態と、を形成し、
前記第２筐体は、前記ディスプレイ部より後方に位置する第１部分が所定の角度を有し、
前記第１筐体は、前記閉状態において前記第１部分と重なり合う第２部分が前記所定の角度を有し、
前記第１開状態から、前記第１筐体の前記第２部分以外の部分に対して前記第１部分が平行になるように前記第２筐体を回転させて第２開状態を形成する、
携帯機器。
【請求項２】
前記第２筐体の前記第１部分に磁石が内蔵され、前記第２開状態において、前記第１筐体の前記第２部分以外の部分と前記第１部分が磁性により係止される、請求項１に記載の携帯機器。
【発明の詳細な説明】
【技術分野】
【０００１】
本発明は、キーボード部を有する第１筐体とディスプレイ部を有する第２筐体とを互いに重ね合わせた状態から相対的に長手方向にスライドするスライド式の構造を有する携帯機器に関する。
【背景技術】
【０００２】
従来から、携帯電話機に代表される携帯機器の構造として、キーボード部やマイク部等が設けられた第１筐体とディスプレイ部やスピーカー部等が設けられた第２筐体とを、ヒンジを用いて開閉可能に連結した２つ折り式のものが知られている。
【０００３】
また、別の携帯機器の構造として、第１筐体と、この第１筐体の上に重ね合わせた第２筐体とをスライドユニットを用いて摺動可能に連結したスライド式のものが知られている。
【０００４】
２つ折り式の携帯機器およびスライド式の携帯機器は、いずれも、不使用時に第１筐体と第２筐体を折り畳むあるいは重ね合わせることによって全体の長さを約半分にすることができることから、不使用時における収納、取り扱いが便利であり、不使用時に誤ってキー釦が押されてしまうことを防止することができるという利点を有する。
【０００５】
しかし、２つ折り式の携帯機器は、着信時の相手先電話番号や留守番電話情報、日時等を確認しようとする場合には、その都度第１筐体と第２筐体とを相対的に開かなければならず、煩雑な場合があるという問題がある。
【０００６】
また、スライド式の携帯機器は、開状態で通話するときに、第１筐体の上面と第２筐体の下面とが略同一平面上に位置されているためにフェイスラインに沿って使用することができず、第２筐体のスピーカー部を耳元に近づけると、第１筐体のマイク部が口元から離れてしまうという問題がある。
【０００７】
この問題を解決する先行技術として、特許文献１には、第１筐体の上面を湾曲凹面、第２筐体の下面を湾曲凸面とし、これら面に沿って前記第１筐体と前記第２筐体とを互い側面視湾曲状にスライドする携帯機器が開示されている。
【特許文献１】特開２００７−１０４１４４号公報
【発明の開示】
【発明が解決しようとする課題】
【０００８】
しかしながら、特許文献１の携帯機器では、第１筐体の上面を湾曲凹面、第２筐体の下面を湾曲凸面とすることにより、携帯機器が厚くなってしまい、携帯時の利便性が損なわれてしまうという問題がある。
【０００９】
本発明はかかる点に鑑みてなされたものであり、薄型でディスプレイ画面を大きくすることができ、かつ、フェイスラインに沿って使用することができるスライド式の構造を有する携帯機器を提供することを目的とする。
【課題を解決するための手段】
【００１０】
本発明の携帯機器は、キーボード部を有する第１筐体と、ディスプレイ部を有する第２筐体と、前記第１筐体と前記第２筐体とを摺動可能に連結するスライドユニットと、を有し、前記キーボード部を前記第２筐体で覆う閉状態と、前記閉状態から前記第２筐体を前方へ摺動させて前記キーボード部を露出させる第１開状態と、を形成し、前記第２筐体は、前記ディスプレイ部より後方に位置する第１部分が所定の角度を有し、前記第１筐体は、前記閉状態において前記第１部分と重なり合う第２部分が前記所定の角度を有し、前記第１開状態から、前記第１筐体の前記第２部分以外の部分に対して前記第１部分が平行になるように前記第２筐体を回転させて第２開状態を形成する、構成を採る。
【発明の効果】
【００１１】
本発明によれば、携帯機器の第１筐体と第２筐体とを摺動可能に連結し、開成角度αを有するように第２筐体および第１筐体の後端部を折り曲げることにより、薄型でディスプレイ画面を大きくすることができ、かつ、フェイスラインに沿って使用することができる携帯機器を実現することができる。
【発明を実施するための最良の形態】
【００１２】
以下、本発明の一実施の形態について図面を参照して詳細に説明する。なお、本実施の形態では、携帯機器の一種である携帯電話機を例に説明する。
【００１３】
図１、図２、図３は、本発明の一実施の形態に係る携帯電話機を示す斜視図であり、図４、図５、図６は、本発明の一実施の形態に係る携帯電話機を示す側面図である。
【００１４】
図１から図６に示すように、本実施の形態に係る携帯電話機１は第１筐体２と第２筐体３とを有する。第１筐体２は、キーボード部４やマイク部５等を有し、送話部としての役割を担う。また、第２筐体３は、ディスプレイ部６やスピーカー部７等を有し、受話部としての役割を担う。
【００１５】
図１、図４は、キーボード部４を露出させない閉状態を示し、図２、図５は、閉状態から第２筐体３を平行移動させてキーボード部４を露出させた第１開状態を示し、図３、図６は、第１開状態から第２筐体３を第１筐体２と開成角度αを為すように回転させた第２開状態を示す。
【００１６】
第１筐体２と第２筐体３とは、第１筐体２を下とし第２筐体３を上として、第１筐体２のキーボード部４が配設される面と第２筐体３のディスプレイ部６が配設される面の反対面とが対向するように、スライドユニット８により長手方向に摺動可能に連結される。なお、以下の説明では、第１筐体２に対して、閉状態から第１開状態へ第２筐体３が移動する方向を前方、第１状態から閉状態へ第２筐体３が移動する方向を後方という。
【００１７】
第１筐体２は、平面細長の矩形形状に形成され、扁平な矩形断面を有する本体２ａに、スライドユニット８の凸部材２１を埋め込むために第２筐体３側に突出した側部２ｂ、２ｃが設けられる。
【００１８】
第２筐体３は、平面細長の矩形形状に形成され、扁平な矩形断面を有し、その両側面９ａ、９ｂにはスライドユニット８のガイド溝２２が設けられる。
【００１９】
また、第２筐体３のディスプレイ部より後方に位置する部分である後端部１１、および閉状態において第２筐体３の後端部１１と重なり合う部分である第１筐体２の後端部１２は、他の部分に対して所定の角度（例えば１５０°）になるように折り曲げられる。また、第２筐体３の後端部１１には磁石等の磁性を帯びた部材が内蔵される。
【００２０】
これにより、携帯電話機１は、閉状態において第１筐体２と第２筐体３とを重ね合わせることができ、第２開状態においてフェイスラインに沿った形状とすることができる。また、携帯電話機１は、第２筐体３の後端部１１に内蔵された磁石の磁性により、第２開状態を維持することができる。
【００２１】
次に、第１筐体２と第２筐体３とを摺動させるためのスライドユニット８について、図７、図８を用いて説明する。図７は、図４のＡ−Ａ断面図であり、図８は、スライドユニット８の一例を示す概略断面図である。
【００２２】
スライドユニット８は、第１筐体２の側部２ｂ、２ｃの内側面１０ａ、１０ｂそれぞれに１個ずつ埋め込まれた凸部材２１と、第２筐体３の両側面９ａ、９ｂに設けられたガイド溝２２とから構成される。
【００２３】
凸部材２１は、ケース部２３と、蓋部２４と、ピン２５と、受部材２６と、スプリング２７と、から主に構成される。ケース部２３の先端開口部２８の径は、後端開口部２９よりも小さく形成される。ピン２５は、先端開口部２８の径より大きいボールベアリング等から成り、一部がケース部２３の先端開口部２８から外側に突出するようにケース部２３に収容される。受部材２６は、ピン２５を支えるようにケース部２３に収容される。スプリング２７は、受部材２６の後部に位置するように、ケース部２３に収容される。ケース部２３の後端開口部２９は、蓋部２４により塞がれる。ピン２５は、スプリング２７の付勢により、一部がケース部２３の先端開口部２８から外側に突出する。
【００２４】
ガイド溝２２は、円弧断面を有し、第１筐体２と第２筐体３とを摺動させるために、凸部材２１のピン２５に対向するように、第２筐体３の両側面の長手方向に一定幅で形成され、その終端は、開状態において凸部材２１のピン２５に対向する位置と、閉状態において凸部材２１のピン２５に対向する位置である。
【００２５】
ピン２５が、スプリング２７の付勢によりガイド溝２２に当接し、ガイド溝２２に案内されて移動することにより、ユーザは、第１筐体２と第２筐体３とを、その長手方向に摺動させることができる。
【００２６】
閉状態及び第１開状態において、ガイド溝２２のピン２５に対向する位置には、直径がガイド溝２２の幅より大きく、ガイド溝２２よりも深い球面の凹部３０が設けられ、ピン２５の先端が、スプリング２７の付勢によって凹部３０に当接することにより、第１筐体２と第２筐体３とは摺動についてロック状態になる。そして、第１開状態から、ピン２５、凹部３０を中心軸として、第２筐体３の後端部１１が第１筐体２とほぼ平行になるまで第２筐体３を回転させれば、第２開状態となる。
【００２７】
次に、本実施の形態に係る携帯電話機１の動作について説明する。
【００２８】
ユーザが、閉状態から第１筐体２を片手に持って、もう一方の手で第２筐体３を前方へ押すと、ピン２５と凹部３０との間のロック状態が解除され、ピン２５がガイド溝２２に案内されて第１筐体２と第２筐体３とが摺動可能となり、第２筐体３は、初め第１筐体２と平行に前方へ移動する。そして、第１開状態となったところで、ピン２５と凹部３０との間で摺動についてロック状態となり、第１筐体２のキーボード部４が露出することになる。
【００２９】
そして、ユーザが、第１開状態から、ピン２５、凹部３０を中心軸として、第２筐体３の後端部１１が第１筐体２とほぼ平行になるように第２筐体３を回転させれば、携帯電話機１が、フェイスラインに沿った形状である第２開状態となり、第２筐体３の後端部１１に内蔵された磁石の磁性により、第２開状態が維持される。
【００３０】
また、ユーザが、携帯電話機１の操作を終えて閉状態に戻す時には、第１筐体２を片手に持って、もう一方の手で、ピン２５、凹部３０を中心軸として、第２筐体３の後端部１１以外の部分が第１筐体２とほぼ平行になるように第２筐体３を回転させ、第１開状態とする。
【００３１】
そして、ユーザは、第２筐体３を後方へ引くことにより、ピン２５と凹部３０との間のロック状態が解除され、ピン２５がガイド溝２２に案内されて第１筐体２と第２筐体３とが摺動可能となり、閉状態となったところで、再び、ピン２５と凹部３０との間でロック状態となる。
【００３２】
このように、本実施の形態によれば、第２開状態において開成角度αを有するように第２筐体３の後端部１１および第１筐体２の後端部１２を折り曲げることにより、ユーザは、通話時において、第１筐体２のマイク部５を口元に、第２筐体３のスピーカー部７を耳元に近づけることができ、第２筐体３のディスプレイ部６を見ながら第１筐体２のキーボード部４を操作することが容易となる。また、第２筐体３の後端部１１および第１筐体２の後端部１２を折り曲げる形状とすることにより、第２筐体３のディスプレイ部６を大きくすることができる。
【００３３】
なお、本実施の形態では携帯電話機について説明したが、本発明はこれに限られず、携帯ゲーム機等、キーボード部とディスプレイ部を有する他の携帯機器にも用いることができる。
【００３４】
また、本実施の形態では、スライドユニット８の凸部材２１を第１筐体２に設け、ガイド溝２２を第２筐体３に設ける場合について説明したが、本発明はこれに限られず、スライドユニット８の凸部材２１を第２筐体３に設け、ガイド溝２２を第１筐体２に設けるようにしても同様の効果を得ることができる。また、本発明は、スライドユニット８の構成について限定はなく、第１筐体２と第２筐体３とを摺動可能とするものであれば他の機構を用いても良い。そして、スライドユニット８の構成によっては、図９から図１１に示すように、携帯電話機１を、第１筐体２に側部２ｂ、２ｃを設けない形態とすることもできる。
【００３５】
また、本実施の形態では、第２開状態で第１筐体２と第２筐体３とを係止させるために、第２筐体３の後端部１１に磁石を内蔵する構成を採ったが、本発明はこれに限られず、第２開状態で第１筐体２と第２筐体３とを係止させるものであれば他の機構を用いても良い。
【産業上の利用可能性】
【００３６】
本発明は、スライド式の構造を有する携帯機器に用いるに好適である。
【図面の簡単な説明】
【００３７】
【図１】本発明の一実施の形態に係る携帯電話機の閉状態を示す斜視図
【図２】本発明の一実施の形態に係る携帯電話機の第１開状態を示す斜視図
【図３】本発明の一実施の形態に係る携帯電話機の第２開状態を示す斜視図
【図４】本発明の一実施の形態に係る携帯電話機の閉状態を示す側面図
【図５】本発明の一実施の形態に係る携帯電話機の第１開状態を示す側面図
【図６】本発明の一実施の形態に係る携帯電話機の第２開状態を示す側面図
【図７】図４のＡ−Ａ断面図
【図８】スライドユニットの一例を示す概略断面図
【図９】本発明の他の実施の形態に係る携帯電話機の閉状態を示す斜視図
【図１０】本発明の他の実施の形態に係る携帯電話機の第１開状態を示す斜視図
【図１１】本発明の他の実施の形態に係る携帯電話機の第２開状態を示す斜視図
【符号の説明】
【００３８】
１  携帯電話機
２  第１筐体
２ａ  本体
２ｂ、２ｃ  側部
３  第２筐体
４  キーボード部
５  マイク部
６  ディスプレイ部
７  スピーカー部
８  スライドユニット
９ａ、９ｂ  両側面
１０ａ、１０ｂ  内側面
１１  後端部
１２  後端部
２１  凸部材
２２  ガイド溝
２３  ケース部
２４  蓋部
２５  ピン
２６  受部材
２７  スプリング
２８  先端開口部
２９  後端開口部
３０  凹部
【図１】
0004733678.tif 000002
【図２】
0004733678.tif 000003
【図３】
0004733678.tif 000004
【図４】
0004733678.tif 000005
【図５】
0004733678.tif 000006
【図６】
0004733678.tif 000007
【図７】
0004733678.tif 000008
【図８】
0004733678.tif 000009
【図９】
0004733678.tif 000010
【図１０】
0004733678.tif 000011
【図１１】
0004733678.tif 000012